(57)【要約】【課題】入力される映像信号がコンポーネント信号かＲＧＢ信号かを自動的に判別して、カラーマトリックス回路を切り換える画像表示装置を提供する。【解決手段】画像表示装置は、キャビネット9上に、輝度信号と色差信号からなるコンポーネント信号の入力端子と、ＲＧＢ信号の入力端子を共有し、キャビネット9内部にコンポーネント信号をＲＧＢ信号に変換するカラーマトリックス回路5を具えている。キャビネット9内には、ＲＧＢ信号の同期信号の有無を検出する同期信号検出部4と、該同期信号検出部4の検出結果に基づいて、カラーマトリックス回路5が入力される信号をＲＧＢ信号に変換するか否かを切り換えるマイクロコンピュータ部1を設けている。同期信号検出部4が同期信号を検出すれば、カラーマトリックス回路5は入力された信号を変換せず、同期信号を検出しなければ、カラーマトリックス回路5は入力された信号をＲＧＢ信号に変換する。【選択図】図１
2008309821.tif 000002
【特許請求の範囲】
【請求項１】
キャビネット(９)上に、輝度信号と色差信号からなるコンポーネント信号の入力端子と、ＲＧＢ信号の入力端子を共有し、キャビネット(９)内部にコンポーネント信号をＲＧＢ信号に変換するカラーマトリックス回路(５)を具えた画像表示装置に於いて、
キャビネット(９)内には、ＲＧＢ信号の同期信号の有無を検出する同期信号検出手段と、該同期信号検出手段の検出結果に基づいて、カラーマトリックス回路(５)が入力される信号をＲＧＢ信号に変換するか否かを切り換える制御手段を設けたことを特徴とする画像表示装置。
【請求項２】
キャビネット(９)上に、輝度信号と色差信号からなるコンポーネント信号の入力端子と、ＲＧＢ信号の入力端子を共有し、キャビネット(９)内部にコンポーネント信号をＲＧＢ信号に変換するカラーマトリックス回路(５)を具え、ＲＧＢ信号の入力端子はコンポーネント信号の入力用に共有している端子とは別に、同期信号用の端子を設けた画像表示装置に於いて、
ＲＧＢ信号の同期信号用の端子は、該端子へのケーブル挿入を検出するスイッチに繋がり、キャビネット(９)内には、該スイッチの検出結果に基づいて、カラーマトリックス回路(５)が入力される信号をＲＧＢ信号に変換するか否かを切り換える制御手段を設けたことを特徴とする画像表示装置。
【発明の詳細な説明】
【技術分野】
【０００１】
本発明は、入力される映像信号がコンポーネント信号かコンポジット信号であるアナログＲＧＢ信号かを自動的に判別して、カラーマトリックス回路を切り換える画像表示装置に関する。
【背景技術】
【０００２】
従来から、色信号の情報を削減して、伝送・記録の効率化を達成すべく、映像信号を輝度信号と色差信号に分けたコンポーネント信号が規定されている。色差信号は三原色の内、ＢとＲから輝度信号Ｙを引いて、係数を乗じたものであり、ハイビジョン用のコンポーネント信号の色差信号ＰＢ、ＰＲは以下の如く、示される。
ＰＢ＝０.５３８９＊(Ｂ−Ｙ)
ＰＲ＝０.６３５０＊(Ｒ−Ｙ)
一般家庭での視聴用のテレビジョン受信機では、コンポーネント信号は所謂ＲＣＡ端子，アナログＲＧＢ信号は所謂Ｄ端子を用いることが多い。これに対し、業務用画像表示装置では、コンポーネント信号とアナログＲＧＢ信号用に別々の端子を設けるよりも、装置上の省スペース化、端子の数の削減に鑑みて、Ｙ、ＰＢ、ＰＲの端子とアナログＲＧＢ用のＧ、Ｂ、Ｒの端子を共有化することが行われている(例えば、特許文献１参照)。
【０００３】
【特許文献１】特開２００４−５６７１９号公報
【発明の開示】
【発明が解決しようとする課題】
【０００４】
画像表示装置内部には、入力されたコンポーネント信号をＲＧＢ信号に変換する後記のカラーマトリックス回路が設けられているのが一般的である。しかし、従来の画像表示装置では、端子を共有化している故に、コンポーネント信号が入力された際と、アナログＲＧＢ信号が入力された際とで、カラーマトリックス回路を切り換える必要があり、面倒であった。
本発明の目的は、入力される映像信号がコンポーネント信号かＲＧＢ信号かを自動的に判別して、カラーマトリックス回路を切り換える画像表示装置を提供することにある。
【課題を解決するための手段】
【０００５】
画像表示装置は、キャビネット(９)上に、輝度信号と色差信号からなるコンポーネント信号の入力端子と、ＲＧＢ信号の入力端子を共有し、キャビネット(９)内部にコンポーネント信号をＲＧＢ信号に変換するカラーマトリックス回路(５)を具えている。
キャビネット(９)内には、ＲＧＢ信号の同期信号の有無を検出する同期信号検出手段と、該同期信号検出手段の検出結果に基づいて、カラーマトリックス回路(５)が入力される信号をＲＧＢ信号に変換するか否かを切り換える制御手段を設けている。
【発明の効果】
【０００６】
同期信号検出手段がＲＧＢ信号の同期信号を検出すれば、入力される信号はＲＧＢ信号であるから、制御手段はカラーマトリックス回路(５)を操作して、入力される信号を変換しない、即ち、そのまま通す。
同期信号検出手段がＲＧＢ信号の同期信号を検出しなければ、入力される信号はコンポーネント信号であるから、制御手段はカラーマトリックス回路(５)を操作して、入力される信号をＲＧＢ信号に変換する。
即ち、ＲＧＢ信号の同期信号の有無により、カラーマトリックス回路(５)が入力される信号をＲＧＢ信号に変換するか否かが自動的に決定されるから、入力される信号に応じて、カラーマトリックス回路(５)を切り換える必要が無く、便利である。
【発明を実施するための最良の形態】
【０００７】
(第１実施例)
以下、本発明の一実施例を図を用いて、詳述する。本例の画像表示装置には、コンポーネント信号と、アナログＲＧＢ信号が選択的に入力される業務用の画像表示装置であって、アナログＲＧＢ信号は、Ｒ、Ｇ、Ｂの他に水平同期信号、垂直同期信号とが分けて入力される。また、前記の如く、コンポーネント信号は、輝度信号Ｙと、色差信号ＰＢ、ＰＲとが分けて入力されるが、水平、垂直同期信号は輝度信号Ｙに重畳されている。
図１は、本例に係わる画像表示装置のブロック図であり、図２は、入力端子を図１のＡ方向から見た図である。キャビネット(９)の一側部上には、ＲＧＢ信号の入力端子(２)が設けられ、具体的にはＲ入力端子(20)、Ｇ入力端子(21)、Ｂ入力端子(22)の他に、水平同期(Ｈ)入力端子(23)、垂直同期(Ｖ)入力端子(24)である。本例では、ＲＧＢ信号の入力端子は、コンポーネント信号の入力端子と共有しており、Ｒ入力端子(20)はコンポーネント信号の色差信号ＰＲと、Ｂ入力端子(22)は色差信号ＰＢと、夫々入力が共有される。また、Ｇ入力端子(21)は、コンポーネント信号の輝度信号Ｙと入力が共有される。
【０００８】
Ｒ入力端子(20)、Ｂ入力端子(22)からの信号は、アナログ信号をデジタル信号に変換するＡ／Ｄコンバータ(30)を介して、カラーマトリックス回路(５)に入力される。Ｇ入力端子(21)からの信号は、輝度信号Ｙから同期信号を抜き出す同期分離部(３)を介して、Ａ／Ｄコンバータ(30)及びカラーマトリックス回路(５)に入力される。
カラーマトリックス回路(５)は、コンポーネント信号をＲＧＢ信号に変換する周知の構成である。カラーマトリックス回路(５)は、ＲＧＢ信号に画像処理を施して画像表示用信号に変換するインターフェイス部(６)を介して、ディスプレイである画像表示部(７)に繋がる。
アナログＲＧＢ信号の水平同期信号(ＡＨＳ)、垂直同期信号(ＡＶＳ)は、同期信号検出部(４)及び同期回路(８)に入力され、該同期信号検出部(４)は制御手段であるマイクロコンピュータ部(１)に繋がる。ここでＡＨＳとはAnalog H sync(アナログ水平同期)の略であり、ＡＶＳとはAnalog V sync(アナログ垂直同期)の略である。マイクロコンピュータ部(１)は、同期信号検出部(４)からの情報により、カラーマトリックス回路(５)が入力された信号をＲＧＢ信号に変換するか否かを切り換える。
同期回路(８)は、アナログ水平同期信号ＡＨＳ及びアナログ垂直同期信号ＡＶＳをデジタルの水平同期信号ＨＳ及び垂直同期信号ＶＳに変換し、前記のインターフェイス部(６)に入力する。
【０００９】
(アナログＲＧＢ信号入力時)
図３は、マイクロコンピュータ部(１)の動作を示すフローチャートである。先ずは、アナログＲＧＢ信号が入力された際の動作を説明する。アナログＲＧＢ信号が入力される際には、Ｒ、Ｇ、Ｂ、Ｈ、Ｖの５つの入力端子(20)(21)(22)(23)(24)全てに、ケーブルピン(図示せず)が挿入される。
アナログＲＧＢ信号が入力されれば、水平同期信号(Ｈ)の入力端子(23)、垂直同期信号(Ｖ)の入力端子(24)から夫々、ＡＨＳ、ＡＶＳが入力され、この旨が同期信号検出部(４)により検知される(Ｓ1)。マイクロコンピュータ部(１)は、同期信号検出部(４)がアナログの同期信号を検出した旨の情報を受信すると、カラーマトリックス回路(５)をＯＦＦにして、ＲＧＢ信号への変換機能を作動させない。即ち、ＲＧＢ信号が入力されているのであるから、ＲＧＢ信号へ変換する必要はない。アナログＲＧＢ信号はＡ／Ｄコンバータ(30)にて、デジタル信号に変換されて、カラーマトリックス回路(５)に入力されるが、該カラーマトリックス回路(５)はＯＦＦであるので、そのままカラーマトリックス回路(５)を通り(Ｓ2)、インターフェイス部(６)に入力される。
一方、同期回路(８)に入力された同期信号ＡＨＳ、ＡＶＳは、該同期回路(８)にてデジタルの同期信号ＨＳ、ＶＳに変換され、インターフェイス部(６)に入力される。インターフェイス部(６)では、デジタルのＲＧＢ信号に同期信号を組みあわせて、画像表示用信号を作り、画像表示部(７)に表示する。
【００１０】
(コンポーネント信号入力時)
コンポーネント信号が入力される際には、Ｒ、Ｇ、Ｂの３つの入力端子(20)(21)(22)に、ケーブルピン(図示せず)が挿入され、Ｈ、Ｖの入力端子(23)(24)にはケーブルピンが挿入されない。同期信号検出部(４)では同期信号ＡＨＳ、ＡＶＳが検出されないから、マイクロコンピュータ部(１)は、コンポーネント信号が入力されていると判断し、カラーマトリックス回路(５)をＯＮにして、色差信号ＰＲ、ＰＢをＲＧＢ信号に変換するように制御する(Ｓ3)。従って、Ａ／Ｄコンバータ(30)でデジタル信号に変換されたコンポーネント信号は、カラーマトリックス回路(５)にてＲＧＢ信号に変換され、インターフェイス部(６)に入力される。
一方、コンポーネント信号の同期信号は、輝度信号Ｙに重畳されているので、同期分離部(３)は輝度信号Ｙから同期信号ＳＯＹ(Sync on Y)を抜き出す(Ｓ4)。該同期信号ＳＯＹは同期回路(８)に入力されてデジタルの同期信号ＨＳ、ＶＳに変換され、インターフェイス部(６)に入力される。インターフェイス部(６)では、デジタルのＲＧＢ信号に同期信号を組みあわせて、画像表示用信号を作り、画像表示部(７)に表示する。
即ち、上記例では、アナログＲＧＢ信号の同期信号の有無から、マイクロコンピュータ部(１)がカラーマトリックス回路(５)を自動的に切り換えるので、入力される信号に応じて、カラーマトリックス回路(５)を切り換える必要が無く、便利である。
【００１１】
(第２実施例)
上記の如く、アナログＲＧＢ信号が入力される際には、Ｒ、Ｇ、Ｂ、Ｈ、Ｖの５つの入力端子(20)(21)(22)(23)(24)全てに、ケーブルピンが挿入され、コンポーネント信号が入力される際には、Ｈ、Ｖの２つの入力端子(23)(24)にはケーブルピンが挿入されない。
出願人はこの点に鑑みて、Ｈ、Ｖの入力端子(23)(24)内に、ケーブルピンが挿入されているか否かにより、カラーマトリックス回路(５)を自動的に切り換えることを着想した。
図４は、別の例に係わる画像表示装置のブロック図であり、Ｈ、Ｖの入力端子(23)(24)内のケーブルピンの有無により、カラーマトリックス回路(５)を切り換えるので、図１の同期信号検出部(４)は不要である。Ｈ、Ｖの入力端子(23)(24)の内側には、押し込まれてＯＮになるスイッチ(ＳＷ1)(ＳＷ2)が設けられており、ケーブルピンが挿入されると、スイッチ(ＳＷ1)(ＳＷ2)が押し込まれる。スイッチ(ＳＷ1)(ＳＷ2)はマイクロコンピュータ部(１)に繋がる。
【００１２】
アナログＲＧＢ信号が入力される時は、Ｈ、Ｖの入力端子(23)(24)にケーブルピンが挿入されているので、スイッチ(ＳＷ1)(ＳＷ2)はＯＮとなる。マイクロコンピュータ部(１)は、アナログＲＧＢ信号が入力されると判断して、カラーマトリックス回路(５)をＯＦＦにする。ＲＧＢ信号はＡ／Ｄコンバータ(30)によってデジタル信号に変換されて、カラーマトリックス回路(５)を通り、インターフェイス部(６)に入る。
Ｈ、Ｖの入力端子(23)(24)からの同期信号ＡＨＳ、ＡＶＳは、同期回路(８)にてデジタルの同期信号ＨＳ、ＶＳに変換され、インターフェイス部(６)に入力される。
一方、コンポーネント信号が入力される時は、Ｈ、Ｖの入力端子(23)(24)にケーブルピンが挿入されないので、スイッチ(ＳＷ1)(ＳＷ2)はＯＦＦとなる。マイクロコンピュータ部(１)は、コンポーネント信号が入力されると判断して、カラーマトリックス回路(５)をＯＮにする。Ａ／Ｄコンバータ(30)でデジタル信号に変換されたコンポーネント信号は、カラーマトリックス回路(５)にてＲＧＢ信号に変換され、インターフェイス部(６)に入力される。同期分離部(３)は輝度信号Ｙから同期信号ＳＯＹを抜き出し、該同期信号ＳＯＹは同期回路(８)にてデジタルの同期信号ＨＳ、ＶＳに変換され、インターフェイス部(６)に入力される。
他の動作は、第１実施例に記載した通りであり、詳細な記載を省く。
【００１３】
本例では、コンポーネント信号としてハイビジョン用を例示したが、標準画質用でもよい。この場合、色差信号ＰＢはＣＢと、色差信号ＰＲはＣＲの名称に置換される。Ｂ−Ｙから色差信号ＣＢを、Ｒ−Ｙから色差信号ＣＲを作る際に、乗じる係数は、ハイビジョン用とは異なるが、周知技術であり記載を省く。
【００１４】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【００１５】
【図１】画像表示装置のブロック図である。
【図２】入力端子を図１のＡ方向から見た図である。
【図３】マイクロコンピュータ部の動作を示すフローチャートである。
【図４】別の例に係わる画像表示装置のブロック図である。
【符号の説明】
【００１６】
(１)  マイクロコンピュータ部
(４)  同期信号検出部
(５)  カラーマトリックス回路
(６)  インターフェイス部
(７)  画像表示部
(８)  同期回路
(23)  入力端子
(24)  入力端子
【図１】
2008309821.tif 000003
【図２】
2008309821.tif 000004
【図３】
2008309821.tif 000005
【図４】
2008309821.tif 000006